(57)【要約】【課題】パネル内へのコンセントの組み込みを可能にした気密性を有するパネルのコンセント取付構造を提供すること。【解決手段】一対の表面板２間に充填される心材３内に配線部４を有するパネル１に、有底状のコンセント用取付穴７を設けると共に、取付穴の開口部の外周部に枠状の取付台座１０を固定する。コンセント本体２１と、コンセント本体との間に気密状態を保持してコンセント本体の裏面部を収容するコンセントボックスカバー２２とからなるコンセント２０は、コンセントボックスカバーの底部に配線導入部であるホース２３を設けると共に、開口縁に取付用フランジ２４を設ける。パネルの配線部の配線をコンセント本体のホースを介して接続した状態で、コンセントボックスカバーを取付穴内に装入し、取付ねじ２７によってコンセント本体及びコンセントボックスカバーを取付穴の開口部に設けられたねじ孔３６に螺合することで固定する。【選択図】  図１
2011019370.tif 000002
【特許請求の範囲】
【請求項１】
一対の表面板間に心材が充填され、上記心材内に配線部を有するパネルへのコンセントの取付構造であって、
上記パネルは、有底状のコンセント用取付穴を有すると共に、上記取付穴の開口部の外周部に枠状の取付台座を固定してなり、
上記コンセントは、コンセント本体と、このコンセント本体との間に気密状態を保持してコンセント本体の裏面部を収容するコンセントボックスカバーとからなり、上記コンセントボックスカバーは、底部に配線導入部を有すると共に、開口縁に取付用フランジを有し、
上記パネルの配線部の配線を上記コンセント本体の配線導入部を介して接続した状態で、上記取付台座を介して上記コンセントボックスカバーを上記取付穴内に装入し、取付部材によって上記コンセント本体及びコンセントボックスカバーを上記取付穴の開口部に固定してなる、
ことを特徴とするパネルのコンセント取付構造。
【請求項２】
請求項１記載のパネルのコンセント取付構造において、
上記取付台座は、上記取付穴の開口部の外周部に固定部材によって固定される枠状の台座受けと、この台座受けに被着される側壁を有する枠状の台座本体とからなり、
上記台座受けは、板状取付枠と、この板状取付枠の内周開口縁に起立する起立壁と、上記取付枠の表面の複数箇所に立設され、その先端に係止受け部を有する係止柱と、上記固定部材を位置調整可能に貫挿する長孔と、を有し、
上記台座本体は、上記板状取付枠の外周面に嵌合可能な外周嵌合壁と、上記起立壁の外周面に嵌合可能な内周嵌合壁と、上記係止柱の係止受け部に係合可能な係止突起と、を有する、
ことを特徴とするパネルのコンセント取付構造。
【請求項３】
請求項２記載のパネルのコンセント取付構造において、
上記台座本体は、内周嵌合壁の外方側端部から折曲される平坦取付壁と、この平坦取付壁の上下端部からそれぞれ上記外周嵌合壁の上下部に向かって下り勾配状の傾斜壁と、上記外周嵌合壁の外周面に周設される段溝とを有し、台座本体が上記台座受けに取り付けられた際に、上記段溝と上記パネルの表面板との間に形成される凹溝内にコーキング材を充填してなる、
ことを特徴とするパネルのコンセント取付構造。
【請求項４】
請求項１ないし３のいずれかに記載のパネルのコンセント取付構造において、
上記取付穴は、上記パネルに貫通された貫通穴内に装入される箱状ケースと、この箱状ケースの底部と上記貫通穴の開口部との空間内に充填される塞ぎ部材とで構成され、
上記箱状ケースは、上部側壁に上記配線部に連通する連通口を有すると共に、この箱状ケースの開口部に取付部材の取付受け部を有する、
ことを特徴とするパネルのコンセント取付構造。
【発明の詳細な説明】
【技術分野】
【０００１】
この発明は、例えばバイオハザード施設やそれらに関連する実験室や冷蔵庫等の気密性が要求される室に使用されるパネルのコンセント取付構造に関するものである。
【背景技術】
【０００２】
一般に、バイオハザード施設やそれらに関連する実験室等は気密性が要求されている。また、これらの施設に使用される間仕切や壁は、一般に、一対の表面板の辺部間に枠材を具備し、かつ、両表面板と枠材とで形成される空間内に例えば発泡ポリウレタン等の断熱性心材やハニカムコア材等が充填されている。
【０００３】
また、これらの施設においては電源を確保するために、間仕切や壁を構成するパネルにコンセントを取り付ける場合がある。
【０００４】
そこで、従来では、前面が開口した箱形で開口周縁にフランジを有するコンセントカバーによってコンセント本体の裏面側を包囲し、コンセントカバーの底部を貫通する電線コードをコンセント本体に接続した状態で、コンセントカバーのフランジを内壁パネルの開口部の周縁に当接させた状態でコンセントカバーを内壁内に埋設し、その後、コンセントプレートを内壁パネルに取り付けるようにしたコンセント取付構造が知られている（例えば、特許文献１参照）。
【先行技術文献】
【特許文献】
【０００５】
【特許文献１】特開２０００−３０７９３号公報（特許請求の範囲、図２）
【発明の開示】
【発明が解決しようとする課題】
【０００６】
しかしながら、特許文献１に記載のコンセント取付構造においては、内壁を構成するパネルからコンセントカバーが突出して露出し、その露出部に配線が接続されるため、間仕切に使用されるパネルに適用した場合、気密性が損なわれる懸念がある。また、パネルからコンセントカバーが露出し、その露出部に配線が接続されるため、外観の美観が損なわれるという問題もある。
【０００７】
この発明は、上記事情に鑑みてなされたのもので、パネル内へのコンセントの組み込みを可能にした気密性を有するパネルのコンセント取付構造を提供することを課題とする。
【課題を解決するための手段】
【０００８】
上記課題を解決するため、請求項１記載の発明は、一対の表面板間に心材が充填され、上記心材内に配線部を有するパネルへのコンセントの取付構造であって、  上記パネルは、有底状のコンセント用取付穴を有すると共に、上記取付穴の開口部の外周部に枠状の取付台座を固定してなり、  上記コンセントは、コンセント本体と、このコンセント本体との間に気密状態を保持してコンセント本体の裏面部を収容するコンセントボックスカバーとからなり、上記コンセントボックスカバーは、底部に配線導入部を有すると共に、開口縁に取付用フランジを有し、  上記パネルの配線部の配線を上記コンセント本体の配線導入部を介して接続した状態で、上記取付台座を介して上記コンセントボックスカバーを上記取付穴内に装入し、取付部材によって上記コンセント本体及びコンセントボックスカバーを上記取付穴の開口部に固定してなる、ことを特徴とする。
【０００９】
このように構成することにより、パネルの配線部の配線をコンセント本体の配線導入部を介して接続した状態で、コンセント本体の裏面側を気密状態に収容するコンセントボックスカバーを、パネルに設けられた有底状の取付穴内に装入し、取付部材によってコンセント本体及びコンセントボックスカバーを取付穴の開口部に固定することで、パネル内にコンセントを組み込むことができる。
【００１０】
請求項２記載の発明は、請求項１記載のパネルのコンセント取付構造において、  上記取付台座は、上記取付穴の開口部の外周部に固定部材によって固定される枠状の台座受けと、この台座受けに被着される側壁を有する枠状の台座本体とからなり、  上記台座受けは、板状取付枠と、この板状取付枠の内周開口縁に起立する起立壁と、上記取付枠の表面の複数箇所に立設され、その先端に係止受け部を有する係止柱と、上記固定部材を位置調整可能に貫挿する長孔と、を有し、  上記台座本体は、上記板状取付枠の外周面に嵌合可能な外周嵌合壁と、上記起立壁の外周面に嵌合可能な内周嵌合壁と、上記係止柱の係止受け部に係合可能な係止突起と、を有することを特徴とする。
【００１１】
このように構成することにより、パネルに設けられた取付穴の開口部の外周部に位置調整して台座受けを固定することができ、固定された台座受けの外周面、起立壁及び係止柱の係止受け部にそれぞれ台座本体の外周嵌合壁、内周嵌合壁及び係止突起を嵌合及び係合させて、取付台座をパネルの取付穴の開口部の外周部に固定することができる。
【００１２】
請求項３記載の発明は、請求項２記載のパネルのコンセント取付構造において、上記台座本体は、内周嵌合壁の外方側端部から折曲される平坦取付壁と、この平坦取付壁の上下端部からそれぞれ上記外周嵌合壁の上下部に向かって下り勾配状の傾斜壁と、上記外周嵌合壁の外周面に周設される段溝とを有し、台座本体が上記台座受けに取り付けられた際に、上記段溝と上記パネルの表面板との間に形成される凹溝内にコーキング材を充填してなることを特徴とする。
【００１３】
このように構成することにより、台座本体の平坦取付壁にコンセントボックスカバーの取付用フランジを当接させた状態で台座受けに固定することができ、台座本体に設けられた段溝とパネルの表面板との間に形成される凹溝内にコーキング材を充填することで、取付台座のパネル取付部の気密を維持することができる。また、台座本体に傾斜壁が設けられているので、コンセント取付部へのごみ等の付着を抑制することができる。
【００１４】
請求項４記載の発明は、請求項１ないし３のいずれかに記載のパネルのコンセント取付構造において、上記取付穴は、上記パネルに貫通された貫通穴内に装入される箱状ケースと、この箱状ケースの底部と上記貫通穴の開口部との空間内に充填される塞ぎ部材とで構成され、上記箱状ケースは、上部側壁に上記配線部に連通する連通口を有すると共に、この箱状ケースの開口部に取付部材の取付受け部を有する、ことを特徴とする。
【００１５】
このように構成することにより、取付穴を構成する箱状ケース内にコンセントボックスカバーを装入した状態で、取付部材を箱状ケースの開口部に設けられた取付受け部に取り付けることによってコンセントをパネルに固定することができる。
【発明の効果】
【００１６】
この発明によれば、上記のように構成されているので、以下のような優れた効果が得られる。
【００１７】
（１）請求項１記載の発明によれば、コンセント本体の裏面側を気密状態に収容するコンセントボックスカバーを、パネルに設けられた有底状の取付穴内に装入し、固定部材によって取付用フランジを、取付穴の開口部外周に固定された取付台座に固定することで、パネル内にコンセントを組み込むことができる。したがって、コンセントボックスカバーよりも厚味の少ないパネルにおいても、コンセントをパネルから露出することなく、パネル内に組み込むことができると共に、コンセントとパネルとの取付部の気密性の維持が図れる。
【００１８】
（２）請求項２記載の発明によれば、パネルの取付穴の開口部の外周部に位置調整可能に固定された台座受けの外周面、起立壁及び係止柱の係止受け部に、それぞれ台座本体の外周嵌合壁、内周嵌合壁及び係止突起を嵌合及び係合させて、取付台座をパネルの取付穴の開口部の外周部に固定することができるので、上記（１）に加えて更にコンセントのパネルへの取付を容易にすることができ、かつ、パネルへの取付台座の固定を強固にすることができると共に、パネルへのコンセントの取付を強固にすることができる。
【００１９】
（３）請求項３記載の発明によれば、上記（１），（２）に加えて、更に取付台座のパネル取付部の気密を維持することができる。また、台座本体に傾斜壁が設けられているので、コンセント取付部へのごみ等の付着を抑制することができる。
【００２０】
（４）請求項４記載の発明によれば、取付穴を構成する箱状ケース内にコンセントボックスカバーを装入した状態で、取付部材を箱状ケースの開口部に設けられた取付受け部に取り付けることによってコンセントをパネルに固定することができるので、上記（１）〜（３）に加えて、更にパネルに設けられるコンセント用の取付穴と外部との気密性を確実にすることができる。
【図面の簡単な説明】
【００２１】
【図１】この発明に係るパネルのコンセント取付構造の一例を示す断面図である。
【図２】図１の正面図である。
【図３】図２のＩ−Ｉ線に沿う断面図である。
【図４】この発明に係るパネルのコンセント取付構造を示す分解斜視図である。
【図５】この発明における取付台座の正面側の分解斜視図である。
【図６】この発明における取付台座の裏面側の分解斜視図である。
【発明を実施するための形態】
【００２２】
以下に、この発明の実施形態を添付図面に基づいて詳細に説明する。ここでは、この発明に係るコンセント取付構造をバイオハザード施設やそれらに関連する実験室に使用される金属サンドイッチパネルに適用した場合について説明する。
【００２３】
この発明における金属サンドイッチパネル１（以下に、パネル１という）は、図１に示すように、一対の表面板２と、両表面板２の辺部間に介在される枠材（図示せず）と、両表面板２と枠材とで形成される空間内充填される例えば発泡ポリウレタン等の断熱性心材３にて形成されている。また、パネル１における断熱性心材３には、電気コード等のリード線５の配線部４が埋設されている。この場合、配線部４は、リード線５と、このリード線５を貫挿する配管６とで構成されている。
【００２４】
また、パネル１には、有底状のコンセント用取付穴７が設けられており、この取付穴７の開口部８の外周部に固定される枠状の取付台座１０を介してコンセント２０がパネル１に組み込まれている。
【００２５】
この場合、取付穴７は、パネル１に貫通された矩形状の貫通穴７Ａ内に装入される箱状ケース３０と、この箱状ケース３０の底部３１と貫通穴７Ａの裏面側の開口部８Ａとの空間３３内に充填される断熱性部材例えば発泡ポリスチレン等の押出材製の塞ぎ部材３４とで有底状に形成されている。なお、この場合、箱状ケース３０の上部側壁３２にはケース内に連通する筒状連通口３５が設けられており、この筒状連通口３５に、配線部４の配管６の端部が嵌挿されており、配管６内のリード線５は筒状連通口３５を介して箱状ケース３０内に導かれている。また、箱状ケース３０の開口部８の対向する上下辺には、コンセント２０の取付受け部であるねじ孔３６が刻設された取付舌片３７が内方に向かって突設されている。
【００２６】
なお、上記箱状ケース３０は、パネル１を作製する前に、一対の表面板２に設けられた貫通穴７Ａを介して両表面板２間の空間内に配置され、筒状連通口３５に配線部４の配管６の先端を挿入した状態で仮組され、その後、貫通穴７Ａ以外の空間内に断熱性心材３を発泡・充填することによって、箱状ケース３０はパネル１に埋め込まれる。
【００２７】
上記取付台座１０は、取付穴７すなわち貫通穴７Ａの表面側の開口部８の外周部に固定部材である固定ねじ１１によって固定される矩形枠状の台座受け１２と、この台座受け１２に着脱可能に被着される側壁３２を有する矩形枠状の台座本体１３とで構成されている。
【００２８】
この場合、台座受け１２は、図４及び図５に示すように、板状取付枠１４と、この板状取付枠１４の内周開口縁に起立する起立壁１５と、取付枠１４の表面の複数箇所例えば上下左右の４箇所に立設され、その先端に係止受け部１６ａを有する係止柱１６と、固定ねじ１１を位置調整可能に貫挿する上下方向に延びる長孔１４ａと、を有している。
【００２９】
また、台座本体１３は、図４及び図５に示すように、板状取付枠１４の外周面に嵌合可能な矩形枠状の外周嵌合壁１３ａと、起立壁１５の外周面に嵌合可能な矩形枠状の内周嵌合壁１３ｂと、内周嵌合壁１３ｂの外方側端部から折曲される矩形枠状の平坦取付壁１３ｃと、この平坦取付壁１３ｃの外周側の上下端部からそれぞれ外周嵌合壁１３ａの上下部に向かって下り勾配状の傾斜壁１３ｄと、外周嵌合壁１３ａの外周面に周設される段溝１３ｅと、平坦取付壁１３ｃの裏面側に突設され、係止柱１６の係止受け部１６ａに係合可能な係止突起１３ｆと、を有している。
【００３０】
なお、上記のように形成される台座本体１３が台座受け１２に取り付けられた際に、台座本体１３に設けられた段溝１３ｅとパネル１の表面板２との間に形成される凹溝１７内にコーキング材１８が充填されるようになっている。
【００３１】
一方、コンセント２０は、図４に示すように、コンセント本体２１と、このコンセント本体２１との間に気密状態を保持してコンセント本体２１の裏面部２１ａを収容する例えばクロロプレンゴム等の合成ゴム製のコンセントボックスカバー２２とからなる。なお、コンセント本体２１とコンセントボックスカバー２２とは、例えば接着剤を介して接着することで、気密状態が保持される。また、コンセントボックスカバー２２の底部２２ａには、配線導入部であるホース２３が突設され、このホース２３内に挿入されるリード線５の端部がコンセント本体２１に接続されるようになっている。また、コンセントボックスカバー２２の開口縁には、矩形枠状の取付用フランジ２４が設けられている。
【００３２】
なお、コンセント本体２１は、矩形状のプラグ差し込み部２５の外周に取付フランジ２６を有しており、この取付フランジ２６の上下部には、それぞれ水平方向に延びる取付用長孔２６ａが設けられている。また、コンセントボックスカバー２２の取付用フランジ２４の上下部には、取付用長孔２６ａに対応するように、それぞれ水平方向に延びる取付用長孔２６ｂが設けられている。これら取付用長孔２６ａ，２６ｂを貫通する取付部材である取付ねじ２７を上記箱状ケース３０の開口部の取付舌片３７に設けられた取付受け部であるねじ孔３６に螺合することによって、コンセント本体２１とコンセントボックスカバー２２がパネル１に固定されるようになっている。また、コンセント本体２１の上下端部には、それぞれ外方に向かってコ字状に屈曲すると共に、その表面平坦部２８ａにねじ孔２８ｂが刻設された取付座２８が設けられている。
【００３３】
なお、コンセント２０の表面には化粧蓋４０が取り付けられ、化粧蓋４０によってコンセント本体２１のプラグ差し込み部２５のみが外部に露呈するようになっている。この場合、化粧蓋４０は、プラグ差し込み部２５が露呈可能な矩形状の開口窓４１を有する蓋本体４２と、この蓋本体４２の外周片に屈曲され、コンセントボックスカバー２２の取付用フランジ２４の外周を被覆する外装枠４３とからなり、蓋本体４２の開口窓４１の上下部に設けられた透孔４４を貫通する蓋固定ねじ４５を、コンセント本体２１の取付フランジ２６の取付座２８に設けられたねじ孔２８ｂに螺合することによって、化粧蓋４０がコンセント本体２１に固定される。
【００３４】
次に、コンセント２０をパネル１に取り付ける手順について説明する。まず、予め取付穴７を構成する箱状ケース３０がパネル１に設けられた貫通穴７Ａ内に埋設され、かつ、配線部４の配管６が接続されているパネル１を用意する。なお、貫通穴７Ａの裏面側の開口部８Ａと箱状ケース３０の底部３１との間の空間には塞ぎ部材３４が充填される。
【００３５】
次に、パネル１に設けられた取付穴７の開口部８に取付台座１０を構成する台座受け１２を固定ねじ１１によってパネル１に固定する。この際、台座受け１２に設けられた長孔１４ａに固定ねじ１１を貫通して固定することで、台座受け１２の位置調整を行う。このようにして、パネル１の取付穴７の開口部８の外周部に台座受け１２を固定した後、台座受け１２の外周面、起立壁１５及び係止柱１６の係止受け部１６ａにそれぞれ台座本体１３の外周嵌合壁１３ａ、内周嵌合壁１３ｂ及び係止突起１３ｆを嵌合及び係合させて、取付台座１０をパネル１の取付穴７の開口部８の外周部に固定する。
【００３６】
次に、パネル１の配線部４内から引き出されたリード線５をコンセント本体２１のホース２３に導いてコンセント本体２１に接続する。次に、コンセント本体２１の裏面部を気密状態で収容したコンセントボックスカバー２２を、取付台座１０を介して取付穴７すなわち箱状ケース３０内に装入する。このとき、コンセントボックスカバー２２の取付用フランジ２４の裏面が取付台座１０の台座本体１３の平坦取付壁１３ｃに当接される。この状態で、コンセント本体２１の取付フランジ２６に設けられた長孔２６ａ及びコンセントボックスカバー２２の取付用フランジ２４に設けられた長孔２６ｂを貫通する取付ねじ２７を、箱状ケース３０の開口部８に設けられたねじ孔３６に螺合して、コンセント２０すなわちコンセント本体２１及びコンセントボックスカバー２２をパネル１の取付穴７内に取り付ける。
【００３７】
上記のようにしてコンセント２０をパネル１に取り付けた後、プラグ差し込み部２５のみが露呈するように化粧蓋４０をコンセントボックスカバー２２の取付用フランジ２４に被着し、蓋固定ねじ４５を、コンセント本体２１の取付フランジ２６の取付座２８に設けられたねじ孔２８ｂに螺合することによって、化粧蓋４０をコンセント本体２１に固定する。
【００３８】
なお、台座本体１３に設けられた段溝１３ｅとパネル１の表面板２との間に形成される凹溝内にコーキング材１８を充填する。コーキング材１８を充填する時期は、台座本体１３が台座受け１２に取り付けられた後であればいつでもよく、台座本体１３を台座受け１２に取り付けた直後、あるいは、コンセント２０をパネル１に取り付けた後であってもよい。
【００３９】
上記のように構成される実施形態のパネルのコンセント取付構造によれば、パネル１の取付穴７の開口部８の外周部に取付台座１０を取り付けることで、コンセントボックスカバー２２よりも厚味の少ないパネル１においても、コンセント２０をパネル１から露出することなく、パネル１内に容易に組み込むことができる。また、コンセント本体２１の裏面部は気密状態でコンセントボックスカバー２２内に収容され、コンセントボックスカバー２２は有底状の取付穴７を構成する箱状ケース３０内に装入され、取付ねじ２７を取付穴７（具体的には箱状ケース３０）の開口部８に設けられたねじ孔３６に螺合して固定するので、コンセント２０は気密が維持された状態でパネル１に組み込まれる。また、取付台座１０の台座本体１３に設けられた段溝１３ｅとパネル１の表面板２との間に形成される凹溝内にコーキング材１８を充填することにより、更に気密性の向上が図れる。また、パネル１に設けられた取付穴７（貫通穴７Ａ）の裏面側の開口部８Ａと箱状ケース３０の底部３１との間の空間内に断熱性を有する塞ぎ部材３４を充填すれば、パネル１におけるコンセント２０の取付部の断熱性の維持が図れる。
【００４０】
なお、上記実施形態では、この発明に係るコンセント取付構造をバイオハザード施設やそれらに関連する実験室等に適用した場合について説明したが、それら以外の気密を要する室、例えば冷蔵庫のパネルにおいても適用できることは勿論である。
【符号の説明】
【００４１】
１  パネル
２  表面板
３  断熱性心材
４  配線部
５  リード線
６  配管
７  取付穴
７Ａ  貫通穴
８  開口部
１０  取付台座
１１  固定ねじ（固定部材）
１２  台座受け
１３  台座本体
１３ａ  外周嵌合壁
１３ｂ  内周嵌合壁
１３ｃ  平坦取付壁
１３ｄ  傾斜壁
１３ｅ  段溝
１３ｆ  係止突起
１４  板状取付枠
１５  起立壁
１６  係止柱
１６ａ  係止受け部
１７  凹溝
１８  コーキング材
２０  コンセント
２１  コンセント本体
２１ａ  裏面部
２２  コンセントボックスカバー
２３  ホース（配線導入部）
２４  取付用フランジ
２６ａ，２６ｂ  取付用長孔
２７  取付ねじ（取付部材）
３０  箱状ケース
３１  底部
３２  側壁
３３  空間
３４  塞ぎ部材
３５  筒状連通口
３６  ねじ孔（取付受け部）
【図１】
2011019370.tif 000003
【図２】
2011019370.tif 000004
【図３】
2011019370.tif 000005
【図４】
2011019370.tif 000006
【図５】
2011019370.tif 000007
【図６】
2011019370.tif 000008